(57)【特許請求の範囲】
【請求項１】
オフフック状態のフックスイッチがオンフック、オフフックと順次変化したとき、フックスイッチのオンフック時間を判別し、このオンフック時間が所定時間以上のときはフックスイッチがオフフックに戻るのと対応して回線側をオフフック状態に設定するが、前記オンフック時間が前記所定時間以内のときは、回線側を前記所定時間までオンフック状態に保持して、前記所定時間後に回線側をオフフック状態に設定し、さらにフックスイッチがオンフックになる前が相手応答前か相手応答後かを判別し、相手応答前と相手応答後とで前記所定時間を変化させることを特徴とする電話機。
【請求項２】
前記所定時間は、交換機側がオンフック状態を認識できる時間であることを特徴とする請求項１に記載の電話機。
【発明の詳細な説明】
【０００１】
【発明の属する技術分野】
本発明は、コードレス電話機などのようにフックスイッチを有する電話機に関する。
【０００２】
【従来の技術】
例えばコードレス電話機においては、受話器をフックスイッチから外してオフフック状態にあるフックスイッチを指等にて押下して一度オンフックにするような操作が時々行われる。例えば相手方電話番号を入力するダイヤル時であり、ダイヤル時は、周知のように、受話器をフックスイッチから外してフックスイッチをオフフックとした状態で相手方電話番号を入力するが、このとき、途中で電話番号入力を間違えるときがあり、そのときは、指等にてフックスイッチを押下してフックスイッチを一度オンフック状態にして回線を一度切断した後、再度電話番号を入力する。
【０００３】
また、キャッチホンで通話相手を第２者から第3者に切り替えるときも、指等でフックスイッチを押下してフックスイッチを一度オンフック状態にする操作が行われている。すなわち、キャッチホンで通話中に第３者からのキャッチ信号を受信したとき、フックスイッチを指等で押下してフックスイッチを一度オンフック状態にすることにより通話相手が第２者から第３者に切り替わる。
【０００４】
【発明が解決しようとする課題】
ところで、オフフック状態のフックスイッチを上述のように一度オンフックにすると、そのオンフック信号が交換機側に伝達されて上述のように回線切断や通話相手の変更が行われるわけであるが、交換機側でオンフック信号を認識するには、フッキング非許容時（相手応答前のダイヤル時はこれに該当する）で１００〜３００ｍｓ、フッキング許容時（相手応答後のキャッチホンでの切り替え時はこれに該当する）で３００〜１０００ｍｓの認識時間が必要である。したがって、電話機は、誤ダイヤル時は３００ｍｓ以上の長さのオンフック信号、キャッチホンでの通話相手の切り替え時は３００〜１０００ｍｓ以上の長さのオンフック信号を発生させなければならないが、指等でフックスイッチを押下するような操作では押下時間が短くてオンフック信号長さが上記の所定時間まで達しなく、その結果、オンフック信号を交換機側が認識できなくて誤動作になる問題点があった。
【０００５】
図５は、誤動作をダイヤル時を例にとり説明する図で、この図では（ａ）に示すように数字の４、数字の２をダイヤルしたところで間違いに気付き、一旦フックスイッチをオンフック（ＯＦ）にした後、再度数字の３、数字の２とダイヤルしたのであるが、フックスイッチのオンフック時間（ＯＦ）が短かったため、（ｂ）に示すようにオンフック信号ＳOFをダイヤルパルスの一部と誤認している。そして、その結果として、（ｃ）のケース１のようにダイヤルが数字の４、数字の２、数字の４、数字の２のように行われたと、またはケース２のように数字の４、数字の６、数字の２のように行われたと、またはケース３のように数字の４、数字の２、数字の１、数字の３、数字の２のように行われたと誤認され、誤ダイヤルとなる。
【０００６】
本発明は上記の点に鑑みなされたもので、フックスイッチのオンフック時間が短くても、交換機側で正確にオンフック信号を認識でき、動作が正確になる電話機を提供することを目的とする。
【０００７】
【課題を解決するための手段】
本発明の電話機は、オフフック状態のフックスイッチがオンフック、オフフックと順次変化したとき、フックスイッチのオンフック時間を判別し、このオンフック時間が所定時間以上のときはフックスイッチがオフフックに戻るのと対応して回線側をオフフック状態に設定するが、前記オンフック時間が前記所定時間以内のときは、回線側を前記所定時間までオンフック状態に保持して、前記所定時間後に回線側をオフフック状態に設定し、さらにフックスイッチがオンフックになる前が相手応答前か相手応答後かを判別し、相手応答前と相手応答後とで前記所定時間を変化させることを特徴とする。
【０００８】
上記電話機において、前記所定時間は、交換機側がオンフック状態を認識できる時間とする。
【０００９】
【発明の実施の形態】
次に添付図面を参照して本発明による電話機の実施の形態を詳細に説明する。図４は本発明の電話機の実施の形態としてコードレス電話機の親機を示すブロック図である。この親機１０は、親機全体を制御するＣＰＵ１１を有し、このＣＰＵ１１にダイヤラーＩＣ２５、ＬＣＤ表示部１３、フックスイッチ１６が接続される。ダイヤラーＩＣ２５はＤＰ／ＤＴＭＦ送出機能を有するとともにキーマトリックス１２に接続される。ここで、キーマトリックス１２は、留守キー、再生キー、ハンズフリーキー、登録キー、テンキー等を有し、各種の情報を入力する。ＬＣＤ表示部１３は、受信した発信者の電話番号等の各種の情報を表示する。フックスイッチ１６は受話器が親機１０上に設置されているか否かを判別する。
【００１０】
１７は回線端子で、リンガ信号を検出する着信検出回路１８が接続され、この着信検出回路１８の出力がＣＰＵ１１に接続される。１９は回線端子１７の電圧極性反転が電話機内部に影響を与えないようにする整流回路、２０は回線の接続・切断を行うＤＰ送出回路、２１は２線−４線変換を行うスピーチネットワークＩＣであり、回線端子１７はこれらの回路を介してＣＰＵ１１に接続される。また、スピーチネットワークＩＣ２１には、受話器２２、マイク２３、スピーカ２４、ＤＳＰＩＣ１５が接続されており、ＤＳＰＩＣ１５は、録音／再生、ハンズフリー、ＴＯＮＥ／ＶＯＸ検出、コーラーＩＤ受信機能を有し、ＣＰＵ１１および情報を記憶するＲＯＭ１４とも接続されている。ＲＯＭ１４は、受信した発信者の電話番号等の各種の情報を記憶し、電話帳としてのメモリ機能や留守録モード時の応答メッセージ、受信した発信者からのメッセージ等の音声データも記憶する。さらに、スピーチネットワークＩＣ２１およびＣＰＵ１１は、子機と無線通信を行うためにコンパンダＩＣ２６を介してＲＦモジュール２７に接続されており、ＲＦモジュール２７にはアンテナ２８が接続される。さらに、親機１０は電源回路２９を有し、この電源回路２９から上記各部に電源電圧が供給される。
【００１１】
上記のようなコードレス電話機の親機１０においては、オフフック状態のフックスイッチ１６がオンフック、オフフックと順次変化したとき、フックスイッチ１６のオンフック時間を判別し、このオンフック時間が所定時間以上のときはフックスイッチ１６がオフフックに戻るのと対応して回線側（回線端子１７）をオフフック状態に設定するが、前記オンフック時間が前記所定時間以内のときは、回線側を前記所定時間までオンフック状態に保持して、前記所定時間後に回線側をオフフック状態に設定する。さらに、フックスイッチ１６のオンフック前が相手応答前か相手応答後かを判別し、相手応答前と相手応答後とで前記所定時間を変化させる。具体的には、相手応答前ならば所定時間を３００ｍｓに設定し、相手応答後ならば所定時間を６００ｍｓ（３００〜１０００ｍｓなどに変更することも可能）に設定する。所定時間がこれらの時間であれば、交換機側で正確にオンフックを認識できる。
【００１２】
上記のような動作を図１のフローチャートを参照してより詳細に説明する。オフフック状態のフックスイッチ１６がオンフック状態になると（ステップＳ１）、回線側を同時にオンフック状態に設定するとともに、フックスイッチ１６のオンフック時間を０からカウントする（ステップＳ２）。そして、フックスイッチ１６がオフフック状態に戻ると（ステップＳ３）、フックスイッチ１６のオンフック前が相手応答前であったか相手応答後であったか判断され（ステップＳ４）、もし相手応答前であると判断されるとステップＳ５に進んで、フックスイッチ１６のオンフック状態はどのくらい継続していたか判断され、もし継続時間が３００ｍｓ以上であればステップＳ７に進んで、フックスイッチ１６のオフフック状態への復帰と同時に回線側がオフフック状態に設定される。一方、ステップＳ５でフックスイッチ１６のオンフック状態の継続が３００ｍｓ以下であると判断されると、ステップＳ６に進んでオンフック時間が３００ｍｓになるまで回線側がオンフック状態に維持され、オンフック時間が３００ｍｓになるとステップＳ７に進んで回線側がオフフック状態に設定される。
【００１３】
一方、ステップＳ４で、フックスイッチ１６のオンフック前が相手応答後であると判断されるとステップＳ８に進んで、フックスイッチ１６のオンフック状態はどのくらい継続していたか判断され、もし継続時間が６００ｍｓ以上であればステップＳ７に進んで、フックスイッチ１６のオフフック状態への復帰と同時に回線側がオフフック状態に設定される。一方、ステップＳ８でフックスイッチ１６のオンフック状態の継続が６００ｍｓ以下であると判断されると、ステップＳ９に進んでオンフック時間が６００ｍｓになるまで回線側がオンフック状態に維持され、オンフック時間が６００ｍｓになるとステップＳ７に進んで回線側がオフフック状態に設定される。
【００１４】
したがって、上記のコードレス電話機の親機１０によれば、相手応答前のダイヤル時に途中でダイヤル間違いが発生して、一旦フックスイッチ１６をオンフックにしたときオンフック時間が短くても、回線側では必ず３００ｍｓまでオンフック状態が保持され、３００ｍｓの長さのオンフック信号が交換機に伝達されるので、交換機で正確にフックスイッチ１６のオンフック（回線切断）を認識でき、ダイヤル動作が正確になる。
【００１５】
図２は、本発明でダイヤル動作が正確になる実例を示す図である。この図では（ａ）に示すように数字の４、数字の２をダイヤルしたところで間違いに気付き、一旦フックスイッチをオンフック（ＯＦ）にした後、再度数字の３、数字の２とダイヤルしている。このとき、フックスイッチのオンフック時間（ＯＦ）が短かったとしても、本発明では（ｂ）に示すように回線側は３００ｍｓの間オンフック状態に保持され、３００ｍｓの長さのオンフック信号ＳOFが交換機に伝達されるから、（ｃ）に示すように交換機は前記オンフックを正確に回線断と判断し、以後に続く数字の３と数字の２のダイヤルを新規な番号入力と正確に判断する。
【００１６】
同様に、上記のコードレス電話機の親機１０によれば、相手応答後のキャッチホンでの通話相手切り替え時に、フックスイッチ１６のオンフック時間が短くても、回線側では必ず６００ｍｓまでオンフック状態が保持され、６００ｍｓの長さのオンフック信号が交換機に伝達されるので、交換機で通話相手切り替えを正確に認識でき、正確に通話相手の切り替えを実施できる。さらに、上記の親機１０によれば、キャッチホンでのフックスイッチ１６オンフック操作時と同様に、トリオホンやボイスワープでのフックスイッチ１６オンフック操作時にも正確な動作を実現することができる。
【００１７】
なお、上記のコードレス電話機の親機１０において、フックスイッチ１６と回線側がオフフック状態からオンフック状態に同時に変化するとき、実際には、図３の波形図に示すように、回線側に３０ｍｓの遅延が与えられている。これによりフッククスイッチ１６のチャタリングが回線側に影響を与えることが防止されている。したがって、より正確には、３０ｍｓ遅延された時点からフックスイッチ１６のオンフック時間がカウントされる。さらに、回線側は、３０ｍｓ遅延された時点から、オンフック状態が前記所定時間以上となるように制御される。なお、図３はオフフック状態からオンフック状態に変化するときの遅延であるが、フックスイッチ１６のオンフック時間が所定時間以上で、フックスイッチ１６のオフフックへの復帰と同時に回線側がオフフック状態に設定されるときも、実際には３０ｍｓの遅延が回線側に与えられ、フックスイッチ１６のチャタリングの影響が排除されている。
【００１８】
以上は、本発明をコードレス電話機の親機に適用した場合であるが、本発明は、フックスイッチを有する電話機全般に応用可能である。
【００１９】
【発明の効果】
以上詳細に説明したように本発明の電話機によれば、フックスイッチのオンフック時間が短くても、交換機側で正確にオンフック信号を認識でき、正確な動作を実現できる。
【図面の簡単な説明】
【図１】本発明の実施の形態の動作を示すフローチャート。
【図２】本発明でダイヤル動作が正確になる実例を示す図。
【図３】本発明の実施の形態において、フックスイッチのチャタリングの影響防止について説明するための波形図。
【図４】本発明の電話機の実施の形態を示すブロック図。
【図５】従来技術の誤動作をダイヤル時を例にとり説明するための図。
【符号の説明】
１６  フックスイッチ
１７  回線端子
２２  受話器
【図１】
0003660971.tif 000002
【図２】
0003660971.tif 000003
【図３】
0003660971.tif 000004
【図４】
0003660971.tif 000005
【図５】
0003660971.tif 000006